(57)【要約】【課題】ホック式生体電極のように、豊富な種類を提供することと、マグネット式生体電極のように、リード線コネクタ部との接続を容易にするとともに計測波形を安定化させることとを両立すること。【解決手段】生体電極用アタッチメント１０は、磁性体からなる本体１１を備える。生体電極用アタッチメント１０の本体１１には、接触面１２および孔部１３が設けられる。接触面１２は、磁石を備えたリード線コネクタ部と接触する。孔部１３は、生体電極の突起型電極素子を接触面１２の反対側から挿入することにより、本体１１を電極素子に固定する。【選択図】図１
2008012164.tif 000002
【特許請求の範囲】
【請求項１】
磁性体からなる本体を備え、
前記本体に、磁石を備えたリード線コネクタ部と接触する接触面と、生体電極の突起型電極素子を前記接触面の反対側から挿入して前記本体を前記電極素子に固定する孔部とを設けた、
ことを特徴とする生体電極用アタッチメント。
【請求項２】
前記磁性体は、ステンレス鋼、フェライト、鉄、ニッケル、ケイ素鉄、パーマロイ、ネオジウム、磁鉄鋼またはバリウム磁石である、
ことを特徴とする請求項１記載の生体電極用アタッチメント。
【請求項３】
前記本体に、前記接触面を包囲する環状の突起部をさらに設けた、
ことを特徴とする請求項１記載の生体電極用アタッチメント。
【請求項４】
前記電極素子を前記孔部に圧入または螺入することにより、もしくは前記孔部の内壁を、前記孔部に挿入された前記電極素子の表面に接着または溶着することにより、前記本体を前記電極素子に固定する、
ことを特徴とする請求項１記載の生体電極用アタッチメント。
【請求項５】
生体表面への貼付面を有する基材と、
前記基材から前記貼付面の反対側に突起する電極素子と、
磁石を備えたリード線コネクタ部と接触する接触面と、前記電極素子を前記接触面の反対側から挿入して前記本体を前記電極素子に固定する孔部とが設けられた磁性部材と、
を備えることを特徴とする生体電極。
【発明の詳細な説明】
【技術分野】
【０００１】
本発明は、生体電極用アタッチメントおよび生体電極に関する。
【背景技術】
【０００２】
心電図などの生体情報を計測するとき、生体電極を生体に貼付し、生体電極から計測器にリード線を介して生体情報を伝送する。一般に、生体情報計測に用いる生体電極は、使い捨て型である。使い捨て型の生体電極は、リード線との接続構造によって、ホック式、マグネット式、タブ式、リード線一体型など、様々なタイプに分けることができる。
【０００３】
マグネット式の生体電極は、磁力により、リード線のコネクタ部と接続する。一例を挙げると、マグネット式の生体電極には、平面状の磁性体がリード線取付部として設けられる。また、この生体電極に接続可能なリード線のコネクタ部には、平面状の磁石が設けられる。したがって、リード線のコネクタ部を生体電極のリード線取付部に近づけるだけで、容易に接続することができる。また、生体電極のリード線取付部とリード線のコネクタ部との接続は、面接触を伴う。このため、計測中にリード線の揺れが生じても、安定した計測波形を得ることができる。
【０００４】
また、前述したタイプの生体電極の中で、突起型の電極素子を備えたホック式の生体電極（特許文献１参照）は、低コストで製造可能である。また、ホック式の既存の生体電極は、他の接続構造を有する既存の生体電極に比べて、基材（パッド）およびゲルの種類が豊富である。ホック式生体電極には、雄部材がリード線取付部として設けられる。また、この生体電極に接続可能なリード線のコネクタ部には、雄部材と嵌合する雌部材が設けられる。あるいは、雄部材を挟持するクリップがコネクタ部として設けられる。
【特許文献１】特開平９−２７１４６７号公報
【発明の開示】
【発明が解決しようとする課題】
【０００５】
しかしながら、ホック式生体電極にリード線を接続する場合、リード線取付部としての雄部材の表面全域がコネクタ部としての雌部材またはクリップに密着するわけではない。つまり、ホック式生体電極では、リード線取付部とコネクタ部との接続は、点接触に近い。さらに、雄部材は非常に小径である。よって、計測中にリード線の揺れが生じると、生体電極のゲルが生体表面から離脱し易いため、計測波形が不安定になることがある。
【０００６】
本発明は、かかる点に鑑みてなされたもので、ホック式生体電極のように、豊富な種類を提供することと、マグネット式生体電極のように、リード線コネクタ部との接続を容易にするとともに計測波形を安定化させることとを両立することができる生体電極用アタッチメントおよび生体電極を提供することを目的とする。
【課題を解決するための手段】
【０００７】
本発明の生体電極用アタッチメントは、磁性体からなる本体を備え、前記本体に、磁石を備えたリード線コネクタ部と接触する接触面と、生体電極の突起型電極素子を前記接触面の反対側から挿入して前記本体を前記電極素子に固定する孔部とを設けた構成を採る。
【０００８】
本発明の生体電極は、生体表面への貼付面を有する基材と、前記基材から前記貼付面の反対側に突起する電極素子と、磁石を備えたリード線コネクタ部と接触する接触面と、前記電極素子を前記接触面の反対側から挿入して前記本体を前記電極素子に固定する孔部とが設けられた磁性部材と、を備える構成を採る。
【発明の効果】
【０００９】
本発明によれば、ホック式生体電極のように、豊富な種類を提供することと、マグネット式生体電極のように、リード線コネクタ部との接続を容易にするとともに計測波形を安定化させることとを両立することができる。
【発明を実施するための最良の形態】
【００１０】
以下、本発明の実施の形態について、図面を用いて詳細に説明する。なお、下記の実施の形態において、同一の要素には同一の参照番号を付す。
【００１１】
（実施の形態１）
図１は、本発明の実施の形態１に係る生体電極用アタッチメント（以下、単に「アタッチメント」という）の斜視図であり、図２は、図１のアタッチメントの上面図であり、図３は、図２のアタッチメントのＡ−Ａ線断面図である。このアタッチメント１０は、突起型電極素子を備えたホック型生体電極に、磁石を備えたリード線のコネクタ部（リード線コネクタ部）を着脱自在に接続するために用いられ、生体電極に着脱自在に装着可能である。
【００１２】
アタッチメント１０は、磁性体からなる略円盤状の本体１１を備える。使用され得る磁性体としては、例えば、ステンレス鋼（ＳＵＳ）、フェライト、鉄、ニッケル、ケイ素鉄、パーマロイ、ネオジウム、磁鉄鋼、バリウム磁石などが挙げられる。
【００１３】
本体１１には、リード線のコネクタ部に設けられた磁石に接触して磁石との面接触を形成する接触面１２が設けられている。磁石を接触面１２に近づけると、磁力により磁石と接触面１２とが接続する。したがって、このアタッチメント１０を生体電極に装着すると、マグネット式生体電極のように、リード線コネクタ部との接続を容易にするとともに計測波形を安定化させることができる。
【００１４】
さらに、本体１１には、生体電極の突起型電極素子を接触面１２の反対側から内部に挿入することによって、突起型電極素子と嵌合する孔部１３が、設けられている。孔部１３は、突起型電極素子の高さに対応した深さと、突起型電極素子の径に対応した径とを有し、突起型電極素子が孔部１３の内壁に密着して突起型電極素子と孔部１３との安定した嵌合状態を保つことができるように形成されている。よって、本体１１の突起型電極素子への固定は、突起型電極素子を孔部１３に圧入または螺入することによって、もしくは孔部１３の内壁を突起型電極素子の表面に接着または溶着することによって、為される。螺入による固定を行う場合は、孔部１３の内壁には予めネジ山が形成されている。なお、本実施の形態では、孔部１３は、裏面１５から接触面１２まで貫通しているが、接触面１２まで貫通しなくてもよい。
【００１５】
さらに、本体１１には、接触面１２を包囲する環状の突起１４が設けられている。よって、本体１１が突起型電極素子に固定されリード線コネクタ部の磁石が接触面１２に接触していて、これにより生体電極とリード線とが接続しているときに、磁石がリード線により引っ張られて位置ずれが生じても磁石が突起１４により係止されるため、リード線が生体電極から脱落することを防止することができる。より好ましくは、接触面１２は磁石と略同じ表面積を有し、この接触面１２と突起１４とにより形成される窪み部に磁石ががたつくことなく嵌合できるように突起１４が設けられる。
【００１６】
上記構成を有するアタッチメント１０の使用法の一例について説明する。まず、図４（ａ）に示すように、生体電極１６の突起型電極素子１６ａを裏面１５側から孔部１３に圧入する。そして、図４（ｂ）に示すように、リード線１７のコネクタ部１７ａに設けられた磁石１７ｂの表面を接触面１２に近づけると、磁力により磁石１７ｂとアタッチメント１０とが接続する。
【００１７】
以上のように、本実施の形態によれば、ホック式生体電極にマグネット式生体電極用のリード線コネクタ部を接続できるようにするため、ホック式生体電極のように、豊富な種類を提供することと、マグネット式生体電極のように、リード線コネクタ部との接続を容易にするとともに計測波形を安定化させることとを両立することができる。また、本実施の形態のアタッチメントは突起型電極素子の径に対応した孔部を含む穴あき構造を有するため、既製のホック式生体電極に容易に後付けすることができ、ホック式生体電極を大幅な改良を要することなく且つ低コストで、上記作用効果を実現することができる。
【００１８】
（実施の形態２）
図５は、本発明の実施の形態２に係る生体電極の断面図である。
【００１９】
生体電極２０は、基材２１、電極素子２２、および実施の形態１で説明したアタッチメント１０と略同一の構成を有する磁性部材１０ａを備える。基材２１の平面中央部には、孔が設けられていて、電極素子２２は、基材２１の生体表面への貼付面２１ａからその孔に挿入されている。電極素子２２の突起部２２ａは、貼付面２１ａの反対側の面２１ｂから突起する。磁性部材１０ａの孔部１３は、接触面１２と反対側から内部に突起部２２ａを挿入して突起部２２ａと嵌合する。また、磁性部材１０ａの接触面１２は、リード線コネクタ部に設けられた磁石と接触して面接触を形成する。また、基材２１の貼付面２１ａには、電極素子２２の貼付面２１ａ側の部分を覆って電解質ゲル２３が配置されている。
【００２０】
一般的な既存のホック式生体電極は、貼付面２１ａ側から挿入した電極素子２２にもう一つの電極素子を面２１ｂ側から被せる構造を有する。これに対して、本実施の形態では、上記の構造を採用することにより、電極素子２２に被せる電極素子を使用することなく、つまり、より簡単且つ部品数のより少ない構造で、実施の形態１のアタッチメント１０により得られた作用効果を実現することができる。
【００２１】
以上、本発明の実施の形態１〜２について説明した。ただし、以上の説明は本発明の好適な実施の形態の例証であり、本発明の範囲はこれに限定されない。つまり、各実施の形態において説明した構成や構造、用途などは一例であり、本発明の範囲においてこれらの例に対する様々な変更および修正が可能であることは明らかである。
【図面の簡単な説明】
【００２２】
【図１】本発明の実施の形態１に係る生体電極用アタッチメントの斜視図
【図２】図１の生体電極用アタッチメントの上面図
【図３】図２の生体電極用アタッチメントのＡ−Ａ線断面図
【図４】本発明の実施の形態１に係る生体電極用アタッチメントの使用法の一例を示す図
【図５】本発明の実施の形態２に係る生体電極の断面図
【符号の説明】
【００２３】
１０、１０ａ  生体電極用アタッチメント
１１  本体
１２  接触面
１３  孔部
１４  突起
２０  生体電極
２１  基材
２２  電極素子
【図１】
2008012164.tif 000003
【図２】
2008012164.tif 000004
【図３】
2008012164.tif 000005
【図４】
2008012164.tif 000006
【図５】
2008012164.tif 000007